(57)【要約】【課題】１つのキーに複数の文字を割当てることによって、パネル上のキーの個数を減らす。【解決手段】キーセット５８中のキー、例えば数字“２”がキートップに書いてあるキーを押すと、その近傍に書いてあるアルファベットＡＢＣのうち最初にある“Ａ”がディスプレイに表示される。次に同じキーを押すと、この表示がその次に書いてある“Ｂ”に変化する。同じキーを押し続けることにより、以下同様にこの表示が循環する。また、同じ様な表示の循環は、矢印キー７８を押すことによっても行われる。【選択図】  図２
2004274780.tif 000002
【特許請求の範囲】
【請求項１】
電話機型の英数字キーボードを有する操作パネルを含み、前記キーボード内の複数のキーの部分集合であるキーの各々が数字の割り当てに加えて複数の英字を割り当てられた英数字キーであり、前記操作パネルが上方向矢印キーと、下方向矢印キーと、右方向矢印キーと、左方向矢印キーと、エンターキーと、ディスプレイパネルとを有する通信装置であって、
前記ディスプレイパネル内の文字位置に英数字を入力できるようにする英数字入力操作モードを開始するための手段と、
第１の文字が前記英数字キーの付勢に応答して表示されている第１の文字位置に前記ディスプレイパネル上のカーソルを表示し、前記英数字キーまたは前記エンターキーまたは前記右方向矢印キーが次に付勢されたことに応答して、前記カーソルを次の文字位置に移動させ、前記第１の英数字の表示を維持し、前記次に付勢された前記英数字キーに割り当てられた文字を前記次の文字位置に表示するプロセッサ手段と、
を備えることを特徴とする通信装置。
【請求項２】
電話機型の英数字キーボードを有する操作パネルを含み、前記キーボード内の複数のキーの部分集合であるキーの各々が数字の割り当てに加えて複数の英字を割り当てられた英数字キーであり、前記操作パネルがエンターキーと、スタートキーと、ディスプレイパネルとを有する通信装置であって、
前記ディスプレイパネル内の文字位置に前記英数字キーの各々に割り当てられた英数字を入力できる英数字入力操作モードを開始するための手段と、
前記ディスプレイパネル上にカーソルを表示し、該カーソルが前記ディスプレイパネル上の空白文字位置に位置しておりかつ前記エンターキーまたは前記スタートキーのどちらかが付勢されるエントリ動作に応答して、スタート動作もエントリ動作も開始しないが、その代わりにユーザが応答した場合には前記通信装置を制御するための別の動作を前記プロセッサ手段に起させるメッセージを表示するプロセッサ手段と、
を備えることを特徴とする通信装置。
【請求項３】
電話機型の英数字キーボードを有する操作パネルを含み、前記キーボード内の複数のキーの部分集合であるキーの各々が数字の割り当てに加えて複数の英字を割り当てられた英数字キーであり、前記操作パネルが、上方向矢印キーと、下方向矢印キーと、右方向矢印キーと、左方向矢印キーと、エンターキーと、ディスプレイパネルとを有する通信装置において、英数字を入力する方法であって、
(a)  前記通信装置に対して、前記ディスプレイパネル内の各々の文字位置に英数字を入力できるようにする英数字入力操作モードを開始するステップと、
(b)  英数字キーの付勢に応答して前記ディスプレイパネル上の第１の英数字が表示された第１の文字位置にカーソルを表示するステップと、
(c)  英数字キーが次に付勢された場合には、それに応答して前記カーソルを次の文字位置に移動し、前記第１の英数字の表示を維持し、前記次に付勢された英数字キーに割り当てられた英数字を前記次の文字位置に表示し、前記エンターキーあるいは前記右方向矢印キーが付勢された場合には、それに応答して前記カーソルを次の文字位置に移動し、前記第１の英数字の表示を維持するステップと、
を含むことを特徴とする方法。
【請求項４】
電話機型の英数字キーボードを有する操作パネルを含み、前記キーボード内の複数のキーの部分集合であるキーの各々が数字の割り当てに加えて複数の英字を割り当てられた英数字キーであり、前記操作パネルが、上方向矢印キーと、下方向矢印キーと、右方向矢印キーと、左方向矢印キーと、エンターキーと、ディスプレイパネルとを有する通信装置において、英数字を入力できるようにする方法であって、
(a)  前記通信装置中で、前記ディスプレイパネル内の各々の文字位置に英数字を入力できるようにする英数字入力操作モードを開始するステップと、
(b)  前記ディスプレイパネル上にカーソルを表示するステップと、
(c)  前記カーソルが前記ディスプレイパネル上の空白文字位置に位置しておりかつ前記スタートキーまたは前記エンターキーのどちらかが付勢されるエントリ動作に応答して、スタート動作もエントリ動作も開始しないが、その代わりにユーザに応答を要求するメッセージを表示し、前記メッセージへのユーザの応答は前記応答に従った動作を引き起こすステップと、
を含むことを特徴とする方法。
【請求項５】
オペレータパネル、英数字キーボード、ディスプレイパネル及び複数のファンクションキーを有し、前記ファンクションキーの各々はそれが付勢されると前記付勢されたファンクションキーに対応した予め定められた入力機能を達成する手順経路を呼び出し、
前記予め定められた入力機能の少なくともあるものをユーザが達成するようにする複数の手順経路を有するファクシミリ装置において、
第１のファンクションキーの付勢に応答して第１の機能を達成する手順経路を呼び出すプロセッサ手段を設け、
前記第１の手順経路では少なくとも前記キーボード上の他のキーを付勢することが要求され、
前記他のキーは、前記予め定められた入力機能を達成するために定まった順序で操作され、
前記プロセッサ手段は、前記オペレータパネル上での別の順序でのキー付勢に応答して前記第１のファンクションキーについて示された機能と同じ予め定められた入力機能を達成し、
前記別の順序でのキー付勢中の１つのキーは、前記オペレータパネル上のメニューキーであり、
前記プロセッサ手段は、前記メニューキーの付勢に応答して前記ディスプレイパネルに前記第１の機能を表示させ、
前記プロセッサ手段は、前記メニューキーの後の別のキー付勢に応答して前記表示パネル上に示された前記第１の機能の選択を可能にし、
前記別の順序は、前記予め定められた入力機能を達成するために前記オペレータパネル上で予期されるユーザによるキーの選択の順序に基づいて定められる
ことを特徴とするファクシミリ装置。
【請求項６】
前記オペレータパネルは、エンターキー、スタートキー及びアルファベットは割り当てられていないが前記プロセッサ手段が夫々肯定及び否定の入力であると認識する第１及び第２の数字キーを含み、前記プロセッサ手段は、前記メニューキー及び前記別のキーの付勢の結果前記ディスプレイパネル上への前記予め定められた入力機能が表示されまた前記エンターキー、スタートキーまたは前記第１の数字キーが付勢されたことに応答して、表示されている予め定められた入力機能を達成する手順を呼び出す、ことを特徴とする請求項５記載のファクシミリ装置。
【請求項７】
前記第１のファンクションキーは電話番号の格納を示し、前記メニューキー及び前記別のキーの付勢によっても前記電話番号の格納を可能にする機能を表示し、前記プロセッサ手段は、前記オペレータパネル上の前記第２のファンクションキーの付勢に応答して、電話番号格納手順の操作を可能にしかつその後電話番号を格納すべきか否かを問い合わせるメッセージを表示し、前記プロセッサ手段は、前記メッセージへのユーザの肯定入力に応答して、前記第１のファンクションキーの付勢によって起動されるものと同様な電話番号格納手順を呼び出すことを特徴とする請求項５記載のファクシミリ装置。
【請求項８】
オペレータパネルと英数字キーボードとディスプレイパネルと複数のファンクションキーを有し、前記ファンクションキーの各々はそれが付勢されると前記付勢されたファンクションキーに対応した予め定められた入力作業を達成する手順経路を呼び出し、
前記予め定められた入力作業の少なくともあるものをユーザが達成するようにする複数の手順経路を有するファクシミリ装置において、英数字を入力する方法であって、
(a)  ユーザによる第１のファンクションキーの付勢に応答して、前記入力作業を達成することについて定められている順序で少なくとも前記キーボード上の別のキーをユーザが付勢することが要求される手順経路を呼び出すステップと、
(b)  前記オペレータパネル上でユーザが別の順序でメニューキーを含むキーを付勢したことに応答して、前記第１のファンクションキーについて示された前記入力作業と同じ予め定められた作業を、
(i)  前記メニューキーの付勢に応答して、前記ファクシミリ装置によって実行可能であるとともに前記第１のファンクションキーに与えられた第１の入力作業を前記ディスプレイパネルに示すステップと、
(ii)  別のキーの付勢に応答して、前記表示されたメニューにある前記第１の入力作業を選択できるようにするステップと、
によって達成するステップと、
を含むことを特徴とする方法。
【請求項９】
前記オペレータパネルは、エンターキー、スタートキー及びアルファベットは割り当てられていないが前記プロセッサ手段が夫々肯定及び否定の入力と認識する第１及び第２の数字キーを有し、
(c)  前記メニューキー及び前記別のキーの付勢の結果前記予め定められた入力作業が前記ディスプレイパネルに表示され、かつ前記エンターキー、前記スタートキーまたは前記第１の数字キーが付勢されたことに応答して、表示されている予め定められた入力作業を達成する手順を呼び出すステップを付加したことを特徴とする請求項８記載の方法。
【発明の詳細な説明】
【技術分野】
【０００１】
本発明は、ファクシミリ装置等の通信装置に係わり、特にファクシミリ装置等によって使用される手順を行うための選択可能な複数の入力経路を与えるオペレータ／通信装置インタフェースに係わる。
【背景技術】
【０００２】
オペレータによってファクシミリ装置が適正にセットアップされ終わると、このファクシミリ装置は接続機能と送信伝送機能とサインオフ(sigh-off)機能を果たすために概ね自動モードで動作する。複数の単一ボタンの各々を押すことによって事前に格納しておいた電話番号をアクセスする「ワンタッチ」機能をそのファクシミリ装置が含む場合には、送信ファクシミリ装置は、こうしたボタンの１つが押されると、遠隔電話番号を自動的にダイアルし、受信ファクシミリ装置が確認応答する標準的な認識信号を送信する。この後で、送信ファクシミリ装置と受信ファクシミリ装置は、文書を送る前に、使用可能な最高速度を選択するための短いメッセージをやりとりする。この動作中には、送信側と受信側のどちらにおいてもオペレータの操作は必要ではない。送信が完了すると、ファクシミリ装置は自動的に切断され、一方、受信側ファクシミリ装置はオペレータにハードコピーを提供する。
【０００３】
ファクシミリ装置の送信操作と受信操作は高度に自動化され、オペレータの入力を殆ど必要としないか全く必要としないが、こうした「ユーザフレンドリ性」は、オペレータが制御パネルを通して指示またはデータをファクシミリ装置に入力することを望む場合には得られないことが多い。ファクシミリ装置／オペレータインターフェースは、典型的には、所定の入力作業を行うための単一シーケンスの動作だけを認識する。適正な手順シーケンスを決定するためには、オペレータは取扱説明書を参照して、所期の作業を適正に行うことを確実なものとするように取扱説明書の指示に忠実に従わなければならない。必要とされる動作シーケンスからのどんな逸脱も、所期の作業の遂行を不可能にする。
【発明の開示】
【発明が解決しようとする課題】
【０００４】
ファクシミリ装置のオペレータパネルは、（オペレータが適正なキー起動シーケンスを知っている場合には）様々な機能を達成できるようにする多数のキーを使用する。コスト上の制約とサイズ上の制約のために、短いキー名称以外のディレクトリ情報はオペレータパネル表面上には僅かしか含まれない。キー名称の中には不明瞭なものもあり、こうしたキーによって実行される当の機能に関してユーザの混乱を引き起こす。
【０００５】
オペレータがファクシミリ装置取扱説明書を調べなかったならば、いずれのファクシミリ装置関連作業についても、その作業を行うためにオペレータが用いる可能性がある「妥当な」手法には幾つかの種類があるのが普通である。こうした様々な手法の各々が、オペレータのグループに応じてまちまちに用いられるだろう。従来のファクシミリ装置インターフェースは、オペレータパネルの設計者によって採用された手法と同じ手法を用いるオペレータグループだけにとって直感的に理解できるように見える。最新のファクシミリ装置が世界中で販売され、様々な文化的背景を持つオペレータによって使用されるので、たとえそのファクシミリ装置が「説明書通りに」操作された時には完全に適切に動作しようとも、ファクシミリ装置関連作業を行うために厳密な単一経路の手順を使用することは、ユーザの苛立ちを引き起こし、結果的にそのファクシミリ製品に対するユーザの不満を生じさせる。
【０００６】
従って、本発明の目的は、ファクシミリ装置動作に関連した作業を行うための複数の手順経路を与える、改善されたオペレータ／ファクシミリ装置インターフェースを提供することである。
【０００７】
本発明の別の目的は、ファクシミリ装置入力機能を果たすための手順経路が、複数のオペレータグループから望まれる直感的に理解可能な入力手順を再現するように明確に設計されている、改善されたオペレータ／ファクシミリ装置インターフェースを提供することである。
【０００８】
本発明の更に別の目的は、単一のキーが押されることによって個々のオペレータ入力の取り消しが行える、改善されたオペレータ／ファクシミリ装置インターフェースを提供することである。
【０００９】
本発明の更に別の目的は、ユーザの助けの求めに応じてヘルプメッセージ(help message)の提供が表示される、改善されたオペレータ／ファクシミリ装置インターフェースを提供することである。
【課題を解決するための手段】
【００１０】
オペレータ／ファクシミリ装置インターフェースにより、電話機型キーボードからの英数字データ入力ができるようになる。矢印キーを押すことによって、または１つの英数字キーを連続して押すことによって、表示されている英数字を変更できる。矢印キー、エンターキー、または英数字キーを押すことによって、表示英数字を入力することができる。スタートキーまたはエンターキーを押すことによって、英数字入力の完了をファクシミリ装置に通知することができる。
【００１１】
更に、このオペレータ／ファクシミリ装置インターフェースにより、格納された電話番号を後で再び呼び出せるように、電話番号を何種類かの異なった手順方法によって格納することができる。このオペレータ／ファクシミリ装置インターフェースの上記特徴の組合せが、ファクシミリ機能を果たすための複数の手順経路をオペレータに提供し、それによって、手順１つ毎に１つの経路しかないという従来技術の制約を克服する。  
【発明を実施するための最良の形態】
【００１２】
図１は、改善されたオペレータ／ファクシミリ装置インターフェースを含むファクシミリ装置のブロック図である。このファクシミリ装置は、バス１２を経由してファクシミリ装置の主要な要素全てと通信する中央処理装置（ＣＰＵ）１０によって制御される。このファクシミリ装置は、ハードコピー出力を提供するためにインクジェットプリントヘッド１４を使用する。スタティックランダムアクセスメモリ（ＳＲＡＭ）１６が、ゲートアレイ１８を介してＣＰＵ１０から画素データを受け取る。画素データは、ＳＲＡＭ１６からヘッドドライバ(head driver)２０を経由してインクジェットプリントヘッド１４に必要に応じて送り込まれる。
【００１３】
複数のモータがファクシミリ装置内の様々な機能を果たすようにＣＰＵ１０によって制御される。モータ２２は、スキャン対象文書のための改行（ＬＦ）駆動機能を提供する。モータ２６は、プリントヘッド１４が不使用時にその中に格納されるサービスステーション（ＳＳ）の動作を制御する。モータ２８は、ペーパサプライからプリントヘッド１４へのシート送り（ＳＣ）を制御する。
【００１４】
ＬＥＤアレイ３０とＣＣＤアレイ３２とが、公知の仕方で、送信対象の文書をスキャンし、画像データを画像処理装置３４とＳＲＡＭ３６とに与える。プログラムメモリ３８は、ＣＰＵ１０用の主制御プログラムを格納する。オペレータパネルＣＰＵ４０は、オペレータパネル機能制御専用に使用される。このファクシミリ装置は、更に、ＣＰＵワークメモリ(CPU work memory)４２と、入力データと出力データの両方に対するデータ符号化／復号機能を与える符号器／復号器４４（ＣＯＤＥＣ）とを含む。モデム４６が、ネットワーク制御装置４８を通して公衆交換回線網に送出される信号と公衆交換回線網から送り込まれる信号とに対する標準電話回線インターフェース機能を与える。
【００１５】
オペレータパネル５０はオペレータ／ファクシミリ装置インターフェースを提供し、キースイッチ行列５２と液晶ディスプレイ（ＬＣＤ）モジュール５４を含む。オペレータパネル５０の平面図が図２に示されており、この図では、ＬＣＤディスプレイ５４はその表示面に標準的なデフォルトメッセージを表示している。オペレータパネル５０は、複数の「ワンタッチ」自動ダイアルキー５６を含み、これらの自動ダイアルキー５６の各々を押すことによって、予め格納された電話番号の自動ダイアル呼出しが行われる。電話機型の１２個のボタンキーセットがオペレータパネル５０の中央部に配置され、ファクシミリ装置に対して英数字を入力できるようにする。キーセット５８は、次の点を除いて米国における通常の電話機のキーセットと概ね同じである。即ち、「７」キーには英字「Ｑ」が割り当てられ、「９」キーに英字「Ｚ］が割り当てられ、「＊」キーが特定の状況下ではファクシミリ装置に対する「Ｙｅｓ」入力として識別され、「＃」キーが特定の状況下ではオペレータからの「Ｎｏ」入力として識別され、「０」キーによりディスプレイ５４上に複数のシンボルが表示される。
【００１６】
ディスプレイ５４によって図２に示されているように、ファクシミリ装置がダイアル呼出しモードにある時には、英数字キー５８の１つを押すことによって、その押されたキーに割り当てられた数字が入力され、ディスプレイパネル５４上に表示される。しかし、ファクシミリ装置が英数字モードにある時には、キー５８を押すことによって、そのキーに割り当てられた数字または英字が、カーソルが位置しているディスプレイパネル５４上の文字位置に表示される。この英数字モードの詳細は後で更に説明する。
【００１７】
複数のファンクションキーがオペレータパネル５０内に含まれている。ファクシミリ装置のいずれの機能が進行中であっても、オペレータがストップ(Stop)キー６０を押すことによって、その機能が直ちに停止させられ、（例えばディスプレイ５４上に示されるような）デフォルト状態にファクシミリ装置がリセットされる。Ｕｎｄｏキー６２を押すことによって、デフォルト状態にファクシミリ装置をリセットすることなしに、直前の入力を取り消して元に戻すことができる。Ｕｎｄｏキーの操作については後で更に詳細に説明する。エンターキー６４を押すことによって、ディスプレイ５４上に表示されるカーソルが次の文字位置に移動させられ、一方、それ以前の文字位置は前の状態のままである。スタートキー６６を押すことによって、ファクシミリ送信を開始させるか、またはファクシミリ装置が複写モードにある時には複写機能を付勢する。後で明らかになるように、スタートキー６６とエンターキー６４は両方とも、特定の状況下では、作業の開始を指示するものとして識別される。同様に、Ｕｎｄｏキー６２と「＃」／「Ｎｏ」英数字キーは、特定の状況下では、オペレータの否定応答を示すものとしてファクシミリ装置によって識別される。これに加えて、「＊」／「Ｙｅｓ」キーが、特定の状況下では、オペレータの肯定応答として識別される。
【００１８】
自動ダイアル(Auto-dial)キー６８は、格納された複数の電話番号の１つにアクセスできるようにする。以下の説明から理解されるように、自動ダイアルキー６８を押すことによって、自動ダイアル呼出しに使用可能な一連の電話番号の中の１つの電話番号が表示される。ダイアルされる特定の電話番号を選択するために、オペレータは、その求められる電話番号が格納されている特定の格納位置までディスプレイ中の表示を先へ進める(increment)。この後で、エンターキー６４またはスタートキー６６を押すことによって、自動ダイアル呼出し機能が起動される。この自動ダイアル呼出し機能は、ワンタッチ自動ダイアルキー５６を押すことによってダイアル呼出し可能な電話番号の数よりも遥かに多くの数の電話番号を格納することが好ましい。従って、例えば、自動ダイアル呼出し機能は、５０件の電話番号のいずれか１つを選択的にアクセスできるようにする。一方、オペレータがワンタッチ自動ダイアルキー５６の１つを選択する場合には、１０件の電話番号のいずれか１つを自動的にダイアルできるにすぎない。
【００１９】
電話番号格納(Store-number)キー７０は、オペレータが新しい電話番号を自動ダイアルリストに加えることができるようにする。以下で明らかになるように、電話番号を格納できるようにするこの電話番号格納キー７０に加えて、オペレータが採用できる電話番号格納手順が他に４つある。これらの手順の各々では、その手順は、オペレータが電話番号を格納しようとする時に行うかもしれない予想される一連のステップに従っている。この電話番号格納手順は、図４のフローチャートと図５のフローチャートを参照して後で説明する。
【００２０】
レポート(Report)キー７４は、ファクシミリ装置状態を選択的に読み出せるようにする。レポートキー７４が最初にオペレータによって押されると、ディスプレイ５４上に次の表示が現れる。
ＰＲＩＮＴ ＲＥＰＯＲＴ （１−４）
（レポート印刷（１−４））
１： ＬＡＳＴ ＴＲＡＮＳＡＣＴＩＯＮ
（１：最後の送信記録）
【００２１】
最後の送信記録（送信が成功したページの数、ファクシミリの送付先等）のプリントアウトを選択するために、オペレータはレポートキー７４を２回押し、かくして送信記録のプリントアウトが行われる。別のプリントアウト（例えば最後の３２件の送信記録）が必要とされる場合には、オペレータは、プリントレポートメニューの４つの項目を下へたどって行き、必要とするメニュー項目を発見する。ここでレポートキー７４を押すことによって、必要とするプリントアウトが得られる。この結果、レポートキー７４は、オペレータが必要とする時にだけプリントアウトできるようにし、従来技術では自動的に行われた不必要なプリントアウトを回避する。
【００２２】
メニュー(Menu)キー７６は、オペレータが使用できる複数のファクシミリ機能をディスプレイ５４上に表示できるようにする。こうした表示される機能の中には、１個以上のファンクションキーまたは英数字キーの選択的な操作によって行うことができる機能と同じものもある。矢印キー７８により、ディスプレイパネル５４上に表示されるカーソルの動きを制御できる。これらの矢印キー７８は、オペレータが複数の値の選択肢を順次たどっていくこと、または、オペレータがメニューキー７６を押すことによりディスプレイパネル５４上に表示される手順中を上下に動けるようにする。
【００２３】
オペレータパネル５０上のその他の制御ボタン（コントラストボタン８０、解像度ボタン８２、写真(photo)ボタン８４）により、オペレータの選択に従って個々の機能を変化させることができる。これらの機能は、本明細書で説明する発明には関係がない。
【００２４】
オペレータパネル５０上の各キーの機能の説明から、オペレータは、ある作業を行ったり、値を変化させたり、あるいはメニューをディスプレイパネル５４中で順番にたどっていくための複数の方法を有することが理解できるだろう。この結果、オペレータ／ファクシミリ装置インターフェースは、ファクシミリ装置の動作中に必要とされる多数の作業を遂行するために、予め定められた単一の手順だけに依存することはない。
【００２５】
英数字入力手順図３ａ、図３ｂを参照すると、この図には、ディスプレイパネル５４上の英数字フィールドに英数字を入力するためのに使用可能な方法を示す論理フローチャートが示されている。
同図中の各ボックスでは以下の動作が行われる。
１００：カーソルが英数字入力フィールド中にあるか？
１０２：（英数字表示）
ＩＦ “１”が押された
ＴＨＥＮ “１“を表示
ＩＦ “２”ないし“９”が押された
ＴＨＥＮ 当該キーに割当てられた最初の英数字を表示
ＩＦ 同じキーが続けて押された
ＴＨＥＮ 当該キーに割当てられた複数の英数字中で循環表示
ＩＦ “０／ＳＹＭＢＯＬＳ”が押された
ＴＨＥＮ シンボルを表示
ＩＦ 同じキーが続けて押された
ＴＨＥＮ シンボルを循環表示
１０４：（英数字入力）
ＩＦ エンターキーまたは右矢印または英数字キーが押された
ＴＨＥＮ 最後に表示された文字の表示を続け、カーソルを次の文字位置に移動させて押された英数字キーに対応する文字を表示
１０６：（英数入力完了）
ＩＦ スターとキーが押された、またはカーソルがブランク位置にあるときにエンターキーが押された
ＴＨＥＮ “別の数字をセットしますか？ ＹＥＳ／ＮＯ”を表示
ＩＦ ＹＥＳキーが押された
ＴＨＥＮ 新たな英数フィールドを表示
ＩＦ ＮＯキーが押された
ＴＨＥＮ デフォルトメッセージを表示
最初に、ディスプレイ５４上のカーソルが、英数字を表示するために使用されるフィールド内に位置していると仮定する（ボックス１００）。ディスプレイ５４上のフィールドが英数字入力を受け入れることができる様々な事例を、図４から図８までに示される手順に関して説明する。
【００２６】
英数字を表示するために、オペレータパネル５０上の英数字キー５８の１つを、ボックス１００に示される仕方で選択的に操作することができる。もっと具体的に述べれば、「１」キーが押された時には「１」が英数字フィールドに表示される。「２」から「９」を表示するキーが押された時には個々のキーに割り当てられた最初の英数字が表示される。例えばキー「２」が押されると文字「Ａ」が最初に現れる。同じキーが再び押されると、このキーに割り当てられた一連の文字の中のその次の文字（例えば「Ｂ」）が表示される。同じキーが再び押されると、更にその次の文字が表示される。「２」キーを連続して押すことによって、「Ａ」、「Ｂ」、「Ｃ」、「２」という文字が次々に表示される。キーを連続して押すことは、カーソルが表示されている表示文字位置における表示文字の連続的な循環を引き起こす。
【００２７】
特定の英数字キー５８を押し終わった後に上方向矢印キーまたは下方向矢印キー７８のどちらかを押し続けることによって、表示文字を同様に循環させることができる。これらの矢印キーは、互いに反対の方向に表示文字を循環させる。
【００２８】
「０」英数字キー５８が押された場合には、シンボル（例えば、＋、−、×等）が、カーソルが位置するディスプレイ５４上の位置に表示される。「０」キーを連続して押すことによって、カーソルが位置するディスプレイ５４上の位置に、割り当てられたシンボル（「０」値を含む）が逐次的に表示される。上方向矢印キーまたは下方向矢印キー７８のどちらかを押すことも、表示文字の循環をもたらす。
【００２９】
英数字キーを続けて押すこと、または上方向矢印キーまたは下方向矢印キー７８のどちらかを押すことによって、ディスプレイパネル５４上の文字またはシンボルの表示が得られるが、こうしたキー操作では、表示される英数字を「入力」することはできない。表示英数字の入力は、エンターキー６４か、矢印キー７８の右方向矢印キーか、その次の英数字キーのいずれかをオペレータが押すことによって引き起こされる（ボックス１０４参照）。こうしたキー操作はいずれも、カーソル位置に現在表示されている英数字が表示され続けられなければならず、且つカーソルがその次の文字位置に移動されなければならないということを、ファクシミリ装置に知らせる。次の英数字キーが押された場合には、カーソルが次の文字位置に移動するばかりでなく、この次に押されたキーに割り当てられた英数字が表示される。
【００３０】
必要な英数字の全てをディスプレイパネル５４上の英数字フィールド内にオペレータが入力し終えると、カーソルが空白文字位置にある時にオペレータがスタートキー６６またはエンターキー６４を押すことによって、この入力の完了がファクシミリ装置に知らされる（ボックス１０６）。この時点では、「別の番号をセットしますか？ Ｙｅｓ／Ｎｏ」という質問メッセージがディスプレイパネル５４上に表示される。これに応答して、英数字キー５８の「＊」キーを押すことによって「Ｙｅｓ」が示され、一方「＃」キーを押すことによって「Ｎｏ」が示される。「Ｎｏ」キーが押されると、（図２のディスプレイ５４に示されるような）デフォルトメッセージが表示される。「Ｙｅｓ」キーが押されると、更に別の英数字入力フィールドが表示され、上記過程を繰り返すことができる。英数字モードにおいてＹｅｓ／Ｎｏ機能を有する個別のキーを備えることによって、ユーザは、Ｙｅｓ／Ｎｏ応答を示す英字「ｙ」と「ｎ」に対してアクセスするために「９」キーと「６」キーを夫々使用する必要はない。
【００３１】
電話番号格納手順
次に、図４と図５を参照して、オペレータが電話番号を格納できるようにする５つの手順を説明する。先頭に「表示」と書いてある図４と図５の各々のボックスは、ディスプレイパネル５４上に現れるメッセージを示す。以下に、これらの図中のボックスの機能を示す。
１１０：表示
ファックスを送信するには：
ダイアルし、文書をセットし、スタートさせて下さい
１１２："STORE NUMBER（数字をストアする）"を押す
１１４：表示
SET NUMBER OPT. (1-2)
1: SET AUTO-DIAL NO.
１１６：ユーザが“１”または“ＹＥＳ”または“エンター”または“スタート”を押す
１１８：表示
AUTO-DIAL (01-50): nn
FAX NO: -*- UNUSED
１２０：ユーザが電話番号を入力
１２２：表示
AUTO DIAL (01-50): nn
1234567
１２４：ユーザが“エンター”または“スタート”を押す
１２６：表示
[nn]: 1234567
NAME: -*-
１２８：ユーザが名前を入力して“エンター”か“スタート”を押す
１３０：“メニュー”を押す
１３２：表示
MENU OPTIONS (1-9)
1: FAST SCAN & SEND
１３４：ユーザが、“↓”を２回押して３番目の項目へ進むか、“３”を入力するか、“↑”を押して３番目の項目へ進む
１３６：表示
NEMU OPTIONS (1-9)3: STORE FAX NUMBER
１３８：ユーザが“３”か“エンター”か“スタート”か“ＹＥＳ”を押す
１４０：使用されていないワンタッチキーを押す
１４２：表示
[nn]: ONE-TOUCH EMPTY
SET ONE-TOUCH? Y/N
１４４：ユーザがカーソルをＹまたはＮの下まで動かして、“エンター”か“スタート”か“ＹＥＳ”か“ＮＯ”キーを押す
１４６："AUTO DIAL"キーを押す
１４８：表示
AUTO-DIAL (1-50)
[nn]: *
１５０：ユーザが
未使用のｎｎを入力するか、
“↑”あるいは“↓”を押して未使用のｎｎまで行き
“エンター”キーを押す
１５２：表示
nn: UNUSED
SET AUTO-DIAL? Y/N
１５４：ユーザが電話番号1234567をダイアルする
１５６：表示
DIAL & PRESS "START"
1234567
１５８：ユーザが"STORE NUMBER"キーを押
１６０：表示
SET NUMBER OPT. (1-2)
1: SET AUTO-DIAL NO.
１６２：ユーザが“ＹＥＳ”か“１”か“エンター”か“スタート”キーを押す
１６４：表示
AUTO-DIAL (01-50): nn
FAX NO: 1234567
ボックス１１０に示されるように、デフォルトメッセージ"TO SEND FAX: DIAL& PRESS START（ファックスを送るためには、電話番号をダイアルし、スタートボタンを押して下さい）"が表示される。オペレータが"STORE NUMBER（電話番号格納）"キー７０を押すことを決めた（ボックス１１２）と仮定すると、この手順によって、ディスプレイ５４に次のメッセージが表示される。
SET NUMBER OPT. (1-2)
（オプション番号（１−２）を設定して下さい）
1: SET AUTO-DIAL No.
（１：自動ダイアル番号の設定）
【００３２】
これに応答して、オペレータが自動ダイアル番号を入力しよう場合には、このオペレータは、（オプション番号「１」を選択するために）「１」キーを押すか、「Ｙｅｓ」キー６４を押すか、エンターキー６４を押すか、スタートキー６６を押すことによって、表示オプションの選択をファクシミリ装置に知らせる（ボックス１１６）。これらのキーが押されることはいずれも、表示された手順を続行するためのオペレータの肯定応答を表す。これに応答して、ディスプレイパネル５４は、ボックス１１８に示される通りに、次のメッセージを表示する。
AUTO-DIAL (01-50):nn
（自動ダイアル（０１−５０）：ｎｎ）
FAX No..: -*- UNUSED
（ファックス番号：−＊−未使用）
【００３３】
一例として、５０件の自動ダイアル番号のためのメモリ空間が備えられ、ディスプレイパネル５４が「ｎｎ」を表示すると仮定する。この「ｎｎ」は、予め割り当てられた電話番号が入っていない最初の格納位置である。点滅するカーソル「−＊−」が第２行の最初の使用可能文字位置に位置しており、オペレータが電話番号を入力することを待ち受けている（ボックス１２０）。電話番号（例えば１２３４５６７）の入力後に、ディスプレイは次のメッセージを示す（ボックス１２２）。
AUTO-DIAL (01-50):nn
（自動ダイアル（０１−５０）：ｎｎ）
1234567
【００３４】
オペレータが電話番号（例えば「１２３４５６７」）を入力し終わると、入力操作の完了がファクシミリ装置に知らされる。オペレータは、エンターキー６４またはスタートキー６６を押すことによってこの完了をファクシミリ装置に知らせる（ボックス１２４）。この時点で、ディスプレイ５４は、ボックス１２６に示されるように、次のメッセージを示す。
[nn]; 1234567
NAME: -*-
（名前：−＊−）
【００３５】
上で示されたように、点滅カーソル−＊−は、入力電話番号に対応する名前が今直ぐに入力可能であることを表示する「ＮＡＭＥ：」の後の最初の文字位置に位置させられる。この入力が完了すると、その後で、この電話番号とそれに対応する名前の入力を完了するために、オペレータがエンターキー６４またはスタートキー６６を押す。
【００３６】
オペレータが、ファクシミリ装置に添付された取扱説明書を読んだことがない場合、または、電話番号格納キー７０を押すことによって電話番号を格納できることを理解していない場合が往々にしてある。こうしたオペレータに対処するために、電話番号を格納できるようにするための別の複数の手順が使用可能である。オペレータは、メニューキー７６を押すことによってディスプレイパネル５４に一連の使用可能な機能が表示されるということを思い出すかもしれない（ボックス１３０）。その結果、オペレータは、メニューキーを押して次のような初期表示を得るかもしれない（ボックス１３２）。
MENU OPTIONS (1-9)
（メニューオプション（１−９））
1: FAST SCAN & SEND
（１：高速スキャン及び送信）
【００３７】
高速文書スキャンをした後メモリから送信する（"FAST SCAN & SEND")ことにはオペレータは関心がないので、電話番号格納手順が格納された記憶位置が何番であるかをオペレータが知っている場合には、このオペレータは、上方向矢印キーまたは下方向矢印キー７８のどちらかを押すことによって、または英数字（１−９）キーを押すことによって、メニューオプションの表示を先へ進める。この例では、"Store Fax Number（ファクシミリ番号格納）"手順が記憶位置「３」に格納されていると仮定する。この結果、メニュー項目３に達すると、ディスプレイ５４が次のメッセージを表示する（ボックス１３６）。
MENU OPTIONS (1-9)
（メニューオプション（１−９））
3: STORE FAX NUMBER
（３：ファックス番号格納）
【００３８】
オペレータは、「３」もしくは「Ｙｅｓ」の英数字キー５８、エンターキー６４、またはスタートキー６６を押すことによって、"STORE FAX NUMBER"を選択できる。上記キーのいずれかを押すことによって、オペレータが電話番号の格納を望んでいるということがファクシミリ装置に対して示される。この時点で、手順が「電話番号格納」手順に進み、ボックス１１４〜１２８に示されるように手順が続行される。
【００３９】
オペレータは、未使用のワンタッチキー５６を押したり、自動ダイアルキー６８を押したり、あるいは単に電話番号入力を開始することによって、電話番号の格納を完了することができる。これらの手順の各々が、図５に示されている。オペレータが未使用ワンタッチキー５６を押した場合（ボックス１４０）には、ディスプレイ５４は次のメッセージを表示する（ボックス１４２）。
[nn]: ONE-TOUCH EMPTY
（［ｎｎ］：ワンタッチキーが空いています）
SET ONE-TOUCH? Y/N
（ワンタッチを設定しますか？ Ｙ／Ｎ）
【００４０】
カーソルが「Ｙ」の下にある時に、オペレータはエンターキー、スタートキー、または「Ｙｅｓ」キーを押すことによって、電話番号入力手順を続行することができる。オペレータがこの手順をこれ以上先に進めることを止めようとする時には、そのオペレータはカーソルを「Ｎ」の下に移動させ、「Ｎｏ」キーを押す（ボックス１４４）。オペレータがこの手順をもっと先へ進めようとする場合には、この手順はボックス１１８（図４）に進み、この図に示されるように続行される。
【００４１】
オペレータが自動ダイアルキー６８を押した時には（ボックス１４６）、ディスプレイ５４には次のように表示される（ボックス１４６）。
AUTO-DIAL (1-50)
（自動ダイアル（１−５０））
[nn]: NNNNN
【００４２】
このメッセージは、その記憶空間が新たな電話番号用に使用可能な自動ダイアルメモリ内の第１の記憶位置の番号を示す。或いは、この代わりに、ディスプレイ５４に自動ダイアルシーケンスの位置「１」を表示し、最初の未使用の格納位置を決定するために個々の格納位置を順にたどることをオペレータに求めることも可能である。上記のいずれの場合にも、特定の格納位置を選択するために、オペレータが未使用自動ダイアル記憶位置番号を入力するか、または、上方向矢印キーまたは下方向矢印キー７８のどちらかを押して未使用記憶位置まで進んでからエンターキー６４を押す。ボックス１５０内に示される操作のいずれかが行われた時、ディスプレイ５４には次のように表示される（ボックス１５２）。
nn: UNUSED
（ｎｎ：未使用）
SET AUTO-DIAL? Y/N
（自動ダイアルを設定しますか？ Ｙ／Ｎ）
【００４３】
この時点で、オペレータは、ボックス１４４等に示される通りに手順を続行してもよいし、あるいはカーソルを「Ｎ」の下に移動して「ＮＯ」英数字キーを押すことによって、その手順を終了させてもよい。
【００４４】
最後に、オペレータが英数字キー５０を逐次的に押して電話番号を入力することによって、電話番号を入力することもできる（ボックス１５４）。電話番号全体が入力され終わると、ディスプレイ５４には次のように表示される。
DIAL & PRESS START
（ダイアルしてスタートキーを押して下さい）
1234567
【００４５】
しかし、この時、オペレータが電話番号格納キー７０を押すと、ディスプレイ５４には次のメッセージが表示される（ボックス１６０）。
SET NUMBER OPT. (1-2)
（オプション番号（１−２）の設定）
1: SET AUTO DIAL NO.
（１：自動ダイアル番号の設定）
【００４６】
ダイアルした電話番号をオペレータが格納しようと望む場合には、「１」もしくは「Ｙｅｓ」の英数字キー５８、エンターキー６４、またはスタートキー６６を押すことができる（ボックス１６２）。これに応答して、ディスプレイ５４は次のメッセージを表示する（ボックス１６４）。
AUTO-DIAL (01-50): nn
（自動ダイアル（０１−５０）：ｎｎ）
FAX NO.: 1234567
（ファックス番号：１２３４５６７）
【００４７】
上の説明から理解されるように、入力された電話番号がディスプレイ５４に表示され、エンターキー６４またはスタートキー６６のどちらかを押すことによって格納の準備が整う（ボックス１２４等）。こうして、自動ダイアル操作またはワンタッチ自動ダイアル操作のいずれに関しても、５つの異なった手順経路のいずれかによって電話番号の格納が行われる。
【００４８】
自動ダイアル操作は、図６に示される通りの２つの手順経路によって行うこともできる。図６の各ボックスの機能を以下に示す。
１６６：ユーザがワンタッチキーを押す
１６８：表示
AUTODIAL (01-50)
[nn]: 1234567
１７０：ユーザが“エンター”あるいは“スタート”キーを押す
１７２：番号をダイアルする
１７４：ユーザが自動ダイアルキーを押す
１７６：表示
AUTODIAL (01-50)
[nn]: nnnnnnn
１７８：ユーザが“↑”または“↓”押すかあるいは“ｎｎ”を入力する
第１の手順経路を実行するためには、オペレータは、予め割り当てられた電話番号を有するワンタッチキー５６を押す。これに応答して、ディスプレイ５４には特定の自動ダイアル記憶位置とその割り当てられた電話番号が次のように表示される（ボックス１６８）。
AUTODIAL (01-50)
（自動ダイアル（０１−５０））
[nn]: 1234567
【００４９】
表示された番号の自動ダイアル呼出しを行うために、オペレータはエンターキー６４またはスタートキー６６のどちらかを押し（ボックス１７０）、その電話番号が自動的にダイアルされる（ボックス１７２）。或いは、この代わりに、オペレータが自動ダイアルキー６８を押す（ボックス１７４）。これにより、ディスプレイ５４に次のように表示される。
AUTODIAL (01-50)
（自動ダイアル（０１−５０））
[nn]: NNNNNNN
【００５０】
ディスプレイ５４が第１の自動ダイアルキー格納位置を表示していると仮定すると、以前に入力された自動ダイアル電話番号を表示させるために、オペレータは、上方向矢印キーまたは下方向矢印キー７８のどちらかを押すか、特定の格納位置番号「ｎｎ」を入力する（ボックス１７８）。次いで、必要とされる電話番号をダイアルするために、ボックス１７０とボックス１７２に示される通りにその手順が続行される。
【００５１】
Ｕｎｄｏ（取消し）キー
上述のように、ストップキー６０を押すことによって、進行中のファクシミリ機能が中断され、ディスプレイ５４には図２に示されるデフォルトメッセージが再び表示される。こうした状況下では、オペレータは機能シーケンスをすっかり最初からやり直さなければならない。これを避けるために、オペレータが入力を端から順番に次々に取消すこと(incremental reversal)ができるようにするＵｎｄｏキー６２が備えられる。Ｕｎｄｏキー６２が果たす機能を図７に示す。
図７の各ボックスの機能は以下の通りである。
１８０：Ｕｎｄｏキーが押された
１８２：
ＩＦ カーソルが英数フィールド内にある
ＴＨＥＮ カーソルをフィールド内の最後に表示されている文字の所へ移動
ＩＦ Ｕｎｄｏキーが再度押された
ＴＨＥＮ カーソル位置の文字を除去してカーソルを１文字位置分戻す
１８４：
ＩＦ 英数字がディスプレイに入力されカーソルが進んだ
ＴＨＥＮ 最後に表示されている文字を除去してカーソルを１文字位置分戻す
１８６：
ＩＦ 以前の動作が矢印キーを１回または複数回連続して押したことであった
ＴＨＥＮ 一連の矢印キーの押下の結果を元の状態に戻す
１８８：
ＩＦ “エンター”状態である
ＴＨＥＮ 前の状態に戻す
１９０：
ＩＦ “スタート”状態である
ＴＨＥＮ 開始された動作を終結させ、前の状態に戻す
オペレータがＵｎｄｏキー６２を押すことによってこの機能が開始される（ボックス１８０）。ディスプレイ５４上に表示されているカーソルが番号／名前フィールド内にある（即ち、カーソルがこのフィールド内の最後に入力された文字の位置にない）場合には、Ｕｎｄｏキー６２を押すことによって、そのフィールド内の最後に入力された文字の位置にカーソルが移動させられる。Ｕｎｄｏキー６２を再び押すことによって、カーソル位置の文字がディスプレイ５４から除去され、カーソルが１文字分だけ後退させられる。このようにして英数字入力は、Ｕｎｄｏキー６２を連続的に押すことによって選択的に変更することができる（ボックス１８２）。
【００５２】
英数字がディスプレイ５４に入力されて、これによりカーソルが進められた場合には、その次にＵｎｄｏキー６２を押すことによって、直前に入力された英数字が削除され、更にカーソルが１文字分後退させられる（ボックス１８４）。
【００５３】
その前の操作が１つまたは複数の矢印キーを押すことを含んでいる場合には、Ｕｎｄｏキー６２を押すことによって、１つまたは複数の矢印キーを順次押したことが取り消され、これらの矢印キーを押す前の既存の状態に戻される（ボックス１８６）。
【００５４】
ボックス１８８に示されるように、エンターキー６４が押された後にＵｎｄｏキー６２が押された場合には、ファクシミリ装置は、エンターキー６４が押される前の状態に戻る。最後に、スタートキー６６が押された後にＵｎｄｏキー６２が押された場合には、スタートキー６６を押すことによって引き起こされた動作がどのようなものであっても、こうした動作が直ちに中断され、ファクシミリ装置は、スタートキー６６が押される前に存在した状態に戻る。
【００５５】
ヘルプメッセージオペレータがファクシミリ入力機能に不慣れであるために、オペレータパネル５０の操作の際に、１つのキー操作からその次のキー操作までに要する時間が長すぎる場合がある。従って、連続したキー操作の合間に過剰な時間遅延を検知した時、または連続した複数のキー操作の合間の平均時間遅延が予め定められた限界を越えた時には、ファクシミリ装置は自動的に援助を与える。図８に示されるフローチャートは、ディスプレイ５４にヘルプメッセージを表示できるようにする手順を示している。ここで、図８中のボックスの機能は以下の通りである。
２００：英数入力モードが始まったか？
２０２：最後にキーを押して以来の経過時間を測定
２０４：経過時間が３０秒以上か？
２０６：キーが押されたか？
２０８：タイマをリセット
２１０：ヘルプが２回拒否されたか（“ＮＯ”または“ＵＮＤＯ”によって）？
２１２：ヘルプメッセージを提供する用意がある旨表示
２１４：ユーザからの応答は？
２１６：ヘルプメッセージを表示
２２０：最初のキー押下以来の経過時間を測定
２２２：次の計算を行って時間合計を得る１０秒×（表示された文字数）＋（経過時間）
２２４：経過時間＞時間合計？
２２６：ヘルプが２回拒否されたか（“ＮＯ”または“ＵＮＤＯ”によって）？
２２８：ヘルプメッセージを提供する用意がある旨表示
２３０：ユーザからの応答は？
２３２：経過時間を０にセット
２３４：ヘルプメッセージを表示
２３６：“ＮＯ”あるいは“ＵＮＤＯ”キーの押下以来の経過時間を測定
【００５６】
最初に、ファクシミリ装置が「英数字入力モード」にあるかどうかを判定し（判断ボックス２００）、このモードでない場合にはここでループする。英数字入力モードである場合には、最後に英数字キーが押された時点から経過した時間量を測定するために時間測定が開始される（ボックス２０２）。
【００５７】
この経過時間が予め定められた閾値（例えば３０秒）以上であるかを判定するために、経過時間がこの閾値と比較検査される（判断ボックス２０４）。閾値に達していない場合には、手順は、キーが押されたか否かの判定（判断ボックス２０６）へ進む、キーが押されていなかった場合には、手順はここでループし、キーが押されたか否かの判定が再び行われる。キーが押されていた場合には、タイマがリセットされ（ボックス２０８）、経過時間の測定が再び開始される（ボックス２０２）。従って、経過時間閾値内にキーが押される限りは、ヘルプメッセージは表示されない。
【００５８】
しかし、経過時間が上記閾値を越える場合には、手順は判断ボックス２１０に進む。このボックス２１０では、「Ｎｏ」英数字キーまたはＵｎｄｏキー６２のどちらかをオペレータが押すことによって、ヘルプメッセージの提供が２回拒絶されたかどうかかが判定される。そうである場合には、この手順は終了し、ヘルプメッセージは表示されない。もっと具体的に言えば、オペレータがヘルプを２回拒絶した場合には、ヘルプメッセージを更に提供することはオペレータにとって迷惑以外のなにものでもないと想定している。
【００５９】
ヘルプメッセージの提供が2回拒絶されていなかった場合には、ヘルプメッセージを提供する用意があることを、肯定／否定応答の要求付きで表示する（ボックス２１２）。使用者が否定応答した場合には（判断ボックス２１４）、手順はループし、タイマをリセットし（ボックス２０８）、ボックス２０２に戻り、時間計測が再び開始される。しかし、使用者が肯定応答した場合には、事前に押されたキーのシーケンスに論理的に基づくヘルプメッセージが表示される（ボックス２０６）。
【００６０】
（ヘルプを必要とする可能性を示す）予め定められた閾値よりも遅い速度でオペレータがキーを押し続けているかどうかを判定するために、更に別の時間測定が継続的に行われる。手順が英数字入力モードになっているかどうかを判定した後に最初にキーを押した時点からの経過時間を測定することによって、この速度が測定される（ボックス２２０）。各々の文字の入力後に、表示文字の数に（例えば）１０秒を乗算した値を測定された経過時間に加算する（ボックス２２２）。この値は「時間合計」と呼ばれ、新たな文字が表示される毎に変化する。判断ボックス２２４に示されるように、総計の経過時間の値がこの「時間合計」を越えるかどうかを判定するために、合計経過時間が連続的に調べられる。
【００６１】
１０秒毎に１つの文字という速度よりも早い速度で文字が入力される場合には、総計の経過時間がこの時間合計を越えることはないだろう。これとは対照的に、文字入力の平均速度が１０秒毎に１つの文字という速度よりも遅い場合には、判断ボックス２２４は「Ｙｅｓ」側に判断し、判断ボックス２２６によって示されるように、ヘルプメッセージが２回拒絶されたかどうかが再び判定される。２回拒絶された場合には、手順が完了する。そうでない場合にはヘルプメッセージの提供の用意がある旨表示する（ボックス２２８）。使用者がヘルプメッセージに肯定応答した場合には（ボックス２３０）、ヘルプメッセージが表示される（ボックス２３４）。使用者がＮｏキーまたはＵｎｄｏキーを押した場合には、総計の経過時間がゼロにクリアされ（ボックス２３２）、経過時間測定が再び開始される（ボックス２３６）。この後で、手順はボックス２２２に戻り、続行される。
【００６２】
ファクシミリ一斉送信
上記の複数の経路の手順に対応して、オペレータには、ファクシミリを一斉送信できるようにする複数の手順が与えられる。第１の手順は、電話番号をダイアルして「ＳＴＡＲＴ」キーを押すことである最も単純なファクシミリ送信手順の拡張である。この手順では、オペレータは、電話番号を入力して「エンター」キーを押し、更に次の電話番号を入力して「エンター」キーを押すという操作を、一斉送信先全てを入力し終わるまで繰り返す。この後で、オペレータは「スタート」キーを押し、入力された送信先全てに対してファクシミリ文書が逐次的に送信される。本発明において典型的であるように、電話番号の入力は、キーボード５８を使用したり、ワンタッチキー５６を使用したり、または、キーボード５８と共に自動ダイアルキー６８を使用して、行うことができる。
【００６３】
一斉送信の第２の手順は、"Scan & Send（スキャン及び送信）"と"Send to Two or More（２箇所以上に送信）"と"Schedule Fax（ファックススケジュール指定）"という３つのメニューオプションの形で実現される。各々のオプションでは、電話番号を入力して「ＥＮＴＥＲ」キーを押した後に、オペレータに対するメッセージ"Enter another fax number? Yes/No（別の電話番号を入力しますか？ ＹＥＳ／ＮＯ）"がディスプレイ５４上に表示される。オペレータが肯定応答すると、その次の電話番号について同じメッセージが表示され、このオペレータが上記メッセージに対して否定応答するまでこの動作が続く。
【００６４】
上記の説明は単に本発明を例示するだけのものにすぎないということを理解されたい。当業者は、本発明からの逸脱なしに様々な代替例と変更例を案出することができる。従って、本発明は、特許請求の範囲内に含まれる代替例と変更例と変形例の全てを含むことように意図されている。
【００６５】
以下に、本発明の実施の態様の例を列挙する。
【００６６】
［実施態様１］電話機型の英数字キーボードを有する操作パネルを含み、前記キーボード内の部分セットのキーの各々が、数字の割り当てに加えて複数の英字を割り当てられ、前記操作パネルが、上方向矢印きーと、下方向矢印キーと、右方向矢印キーと、左方向矢印キーと、エンターキーと、ディスプレイパネルとを有する通信装置において、
前記ディスプレイパネル内の文字位置に英数字を入力することを可能にする英数字入力操作モードを、前記通信装置において開始するための手段と、
英数字入力操作モード中に前記英数字キーが押されることに応答して、押された前記英数字キーに割り当てられた文字をディスプレイパネルに表示させ、且つ前記英数字キーが更に押されることまたは前記矢印キーの１つが押されることに応答して、押されたキーに割り当てられた他の英数字を前記ディスプレイパネル内の文字位置に表示させるプロセッサ手段
とを設けたことを特徴とする通信装置。
【００６７】
［実施態様２］前記矢印キーの１つを繰り返し押すことにより、押された英数字キーに割り当てられた英数字のディスプレイパネル文字位置における第１の逐次的表示が生起し、
前記矢印キーの別の１つを繰り返し押すことにより、前記押された英数字キーに割り当てられた英数字のディスプレイパネル文字位置における第２の逐次的表示が生起し、
前記第２の逐次的表示の方向が前記第１の逐次的表示の方向と反対である
ことを特徴とする請求項１に記載の通信装置。
【００６８】
［実施態様３］前記矢印キーの１つが上方向矢印キーであり、前記矢印キーの別の１つが下方向矢印キーであることを特徴とする請求項２に記載の通信装置。
【００６９】
［実施態様４］電話機型の英数字キーボードを有する操作パネルを含み、前記キーボード内の部分セットのキーの各々が、数字の割り当てに加えて複数の英字を割り当てられ、前記操作パネルが、上方向矢印きーと、下方向矢印キーと、右方向矢印キーと、
左方向矢印キーと、エンターキーと、ディスプレイパネルとを有する通信装置において、
前記ディスプレイパネル内の文字位置に英数字を入力できるようにする英数字入力操作モードを開始するための手段と、
第１の文字が前記英数字キーが押されたことに応答して表示されている第１の文字位置に前記ディスプレイパネル上のカーソルを表示し、前記英数字キーが次に押されたことに応答して、前記カーソルを次の文字位置に移動させ、前記第１の英数字の表示を維持し、次に押された前記英数字キーに割り当てられた文字を前記次の文字位置に表示するプロセッサ手段と
を設けたことを特徴とする通信装置。
【００７０】
［実施態様５］前記エンターキーまたは前記右方向矢印キーのどちらかが押されたことに応答して、前記プロセッサ手段が、前記カーソルを次の文字位置に移動させ、且つ前記第１の文字位置における前記第１の英数字の表示を維持することを特徴とする請求項４に記載の通信装置。
【００７１】
［実施態様６］電話機型の英数字キーボードを有する操作パネルを含み、前記キーボード内の部分セットのキーの各々が、数字の割り当てに加えて複数の英字を割り当てられ、前記操作パネルが、エンターキーと、スタートキーと、ディスプレイパネルとを有する通信装置において、
前記ディスプレイパネル内の文字位置に英数字を入力できる英数字入力操作モードを開始するための手段と、
前記ディスプレイパネル上にカーソルを表示するためのプロセッサ手段と、を設け、
前記プロセッサ手段は、カーソルが前記ディスプレイパネル上の空白文字位置に位置しておりかつ前記エンターキーまたは前記スタートキーのどちらかが押されたことに応答してユーザの応答を求めるメッセージを表示する
ことを特徴とする通信装置。
【００７２】
［実施態様７］前記カーソルが空白文字位置にある時に、前記プロセッサ手段が、前記エンターキーまたは前記スタートキーが押されたことをメッセージの入力の終了として解釈し、表示される前記メッセージが、新たなメッセージが入力されるべきかどうかを質問することを特徴とする請求項６に記載のファクシミリ。
【００７３】
［実施態様８］電話機型の英数字キーボードを有する操作パネルを含み、前記キーボード内の部分セットのキーの各々が、数字の割り当てに加えて複数の英字を割り当てられ、前記操作パネルが、ディスプレイパネルを有する通信装置において、
英数字キーが押されることにより英字と数字の両方を入力し表示されるようにするために、前記通信装置の英数字入力操作モードを開始する手段と、
前記英数モードの開始に応答して、前記キーの英数割り当て文字を持たない少なくとも第１のキーと第２のキーが押されたことを各々Ｙｅｓ入力とＮｏ入力として解釈するためのプロセッサ手段とを設け、
前記プロセッサ手段が、オペレータからのＹＥＳ／ＮＯ応答を求める質問を前記ディスプレイパネル上に表示し、前記プロセッサ手段が、前記第１のキーまたは前記第２のキーがオペレータによって押されたことに対して、前記質問に対するＹｅｓ／Ｎｏ応答として応答する
ことを特徴とする通信装置。
【００７４】
［実施態様９］電話機型の英数字キーボードを有する操作パネルを含み、前記キーボード内の部分セットのキーの各々が、数字の割り当てに加えて複数の英字を割り当てられ、前記操作パネルが、上方向矢印きーと、下方向矢印キーと、右方向矢印キーと、左方向矢印キーと、エンターキーと、ディスプレイパネルとを有する通信装置装置における、以下のステップ(a)ないし(c)を有し英数字を入力する方法：
(a) 前記ディスプレイパネル内の文字位置に英数字を入力できるようにする英数字入力操作モードを開始するステップ；
(b) 前記英数字入力操作モード中に前記英数字キーが押されることに応答して、押された前記英数字キーに割り当てられた文字を前記ディスプレイパネルに表示させるステップ；
(c) 前記英数字キーが更に押されることまたは前記矢印キーの１つが押されることに応答して、押された前記英数字キーに割り当てられた他の英数字を前記ディスプレイパネル内の文字位置に表示するステップ。
【００７５】
［実施態様１０］前記ステップ(c)において、前記矢印キーの１つを繰り返し押すことにより、押された前記英数字キーに割り当てられた英数字のディスプレイパネル文字位置での第１の逐次的表示を生起させ、前記矢印キーの別の１つを繰り返し押すことが、押された前記英数字キーに割り当てられた英数字のディスプレイパネル文字位置での第２の逐次的表示を生起させ、前記第２の逐次的表示の方向が、前記第１の逐次的表示の方向とは反対であることを特徴とする請求項９に記載の方法。
【００７６】
［実施態様１１］前記矢印キーの１つが上方向矢印キーであり、前記矢印キーの別の１つが下方向矢印キーであることを特徴とする請求項１０に記載の方法。
【００７７】
［実施態様１２］電話機型の英数字キーボードを有する操作パネルを含み、前記キーボード内の部分セットのキーの各々が、数字の割り当てに加えて複数の英字を割り当てられ、前記操作パネルが、上方向矢印きーと、下方向矢印キーと、右方向矢印キーと、左方向矢印キーと、エンターキーと、ディスプレイパネルとを有する通信装置への英数字を入力する下記のステップ(a)ないし(c)を有する方法：
(a) 前記ディスプレイパネル内の文字位置に英数字を入力できるようにする英数字入力操作モードを開始するステップ；
(b) 前記ディスプレイパネル上の英数字キーが押されることに応答して第１の文字が表示された第１の文字位置にカーソルを表示するステップ；
(c) 英数字キーが次に押されることに応答して、前記カーソルを次の文字位置に移動させ、前記第１の英数字の表示を維持し、次に押された前記英数字キーに割り当てられている文字を前記次の文字位置に表示するステップ。
【００７８】
［実施態様１３］以下のステップ(d)及び(e)を含むことを特徴とする請求項１２に記載の方法：
(d) 前記カーソルを次の文字位置に移動させるために、前記エンターキーまたは前記右方向矢印キーのどちらかが押されることに応答するステップ；
(e) 前記第１の文字位置における前記第１の英数字の表示を維持するステップ。
【００７９】
［実施態様１４］電話機型の英数字キーボードを有する操作パネルであって、前記キーボード内の部分セットのキーの各々が数字の割り当てに加えて複数の英字を割り当てられ、前記操作パネルが、エンターキーと、スタートキーと、ディスプレイパネルとを有するような操作パネルを含む通信装置へ英数字を入力する、以下のステップ(a)ないし(c)を有する方法：
(a) 前記キーの各々に割り当てられた英数字を入力できるようにする英数入力操作モードを開始するステップ；
(b) 前記ディスプレイパネル上にカーソルを表示するステップ；
(c) 前記ディスプレイパネル上の空白文字位置に前記カーソルが位置しており、かつ前記スタートキーまたは前記エンターキーのどちらかが押されたこととに応答して、オペレータの応答を求めるメッセージを表示するステップ。
【００８０】
［実施態様１５］前記ステップ(c)が、前記カーソルが空白文字位置にある時に前記スタートキーまたは前記エンターキーのどちらかが押されたことを、新たなメッセージが入力されるべきかどうかを質問するメッセージの入力の終了として解釈することを特徴とする請求項１４に記載の方法。
【００８１】
［実施態様１６］電話機型の英数字キーボードを有する操作パネルを含み、前記キーボード内の部分セットのキーの各々が数字の割り当てに加えて複数の英字を割り当てられ、前記操作パネルがディスプレイパネルを有する通信装置における英数字の入力のための、以下のステップ(a)ないし(d)を有する方法：
(a) 英数字キーを押すことで英字と数字の両方を入力及び表示できるようにする英数動作モードを開始するステップ；
(b) 前記英数字モードの開始に応答して、前記キーの割り当てられた英字を持たない少なくとも第１のキーと第２のキーが押されたことを、各々ＹＥＳ入力とＮＯ入力を表すキー操作として解釈するステップ；
(c) オペレータからのＹＥＳ／ＮＯ応答を求める質問を前記ディスプレイパネル上に表示するステップ；
(d) 前記第１のキーまたは前記第２のキーが押されたことに対して、前記質問に対するＹｅｓ応答またはＮｏ応答として夫々応答するステップ。
【００８２】
［実施態様１７］操作パネルと英数字キーボードとディスプレイパネルと複数のファンクションキーとを含むファクシミリ装置において、
前記ファンクションキーの各々はそれが押されたとき当該キーに関連付けられた予め定められた入力機能を果たすという結果をもたらす手順経路を呼び出し、
前記ファクシミリ装置はオペレータが前記予め定められた入力機能の少なくとも１つを達成できるようにする複数の手順経路を含み、
前記ファクシミリ装置は、前記第１のファンクションキーがオペレータによって押されたことに応答して第１のファンクションキーに対する前記キーボード上の少なくとも１つの追加のキーと、前記予め定められた入力機能を達成するように予め定められたシーケンスでだけ操作される追加のキーとをオペレータが付勢することを必要とする手順経路を開始するプロセッサ手段を含み、
前記プロセッサ手段は、前記操作パネル上の別のキーシーケンスをオペレータが付勢したことに応答して、前記第１のファンクションキーに関して示された予め定められた入力機能と同一の予め定められた入力機能を達成し、
前記別のキーシーケンスは、前記予め定められた入力機能を行うためにオペレータが前記操作パネル上のキーをオペレータが付勢する場合にオペレータが選択することが想定されるキーシーケンスに基づいて決められる
ことを特徴とするファクシミリ装置。
【００８３】
［実施態様１８］前記別のキーシーケンスの１つのキーは前記操作パネル上のメニューキーであり、
前記プロセッサ手段は、前記メニューキーが押されることに応答して、前記ファクシミリ装置によって行われ且つファンクションキーがそのために提供されている前記第１の機能を前記ディスプレイパネルに表示させ、
前記プロセッサ手段は、前記メニューキーの後に別のキーが押されたことに応答して前記ディスプレイパネル上に表示されている前記第１の機能を選択できるようにする
ことを特徴とする請求項１７に記載のファクシミリ装置。
【００８４】
［実施態様１９］前記操作パネルは、エンターキーと、スタートキーと、英字が割り当てられてはいないが前記プロセッサ手段によって各々にＹｅｓ入力とＮｏ入力として識別される第１と第２の数字キーとを含み、前記プロセッサ手段は、前記メニューキーと前記別のキーとが押された結果前記予め定められた入力機能が前記ディスプレイパネル上に表示されたことと、前記エンターキーまたは前記スタートキーまたは前記第１の数字キーが押されたことに応答して、表示されている予め定められた入力機能を達成する手順を開始する
ことを特徴とする請求項１８に記載のファクシミリ装置。
【００８５】
［実施態様２０］前記第１のファンクションキーが電話番号の格納を表示し、前記メニューキーと前記別のキーとを押すことによって、電話番号の格納もできるようにする機能の表示を付勢し、
前記プロセッサ手段は、前記操作パネル上の第２のファンクションキーが押されたことに応答して、自動ダイアル手順を動作させ、次に電話番号が格納されるべきかどうかを質問するメッセージを表示させ、
前記プロセッサ手段は、オペレータの肯定入力に応答して、前記第１の予め定められたファンクションキーが押されたことによって開始される電話番号格納手順と同様の電話番号格納手順を開始する
ことを特徴とする請求項１８に記載のファクシミリ装置。
【００８６】
［実施態様２１］前記操作パネルが複数のワンタッチキーを含み、
前記ワンタッチキーの各々は、それが押された時に予め割り当てられた電話番号が前記ファクシミリ装置によって自動的にダイアルされるようにし、
前記プロセッサ手段は、予め割り当てられた電話番号を持たないワンタッチキーが押されることに応答して、前記第１のファンクションキーが押されたことによって開始される電話番号格納手順と概ね同様である当該ワンタッチキーに太子手の電話番号格納手順をオペレータが開始できるようにする
ことを特徴とする請求項２０に記載のファクシミリ装置。
【００８７】
［実施態様２２］前記操作パネルが自動ダイアルファンクションキーを含み、前記自動ダイアルファンクションキーは、それが押された時に予め割り当てられた電話番号が前記ファクシミリ装置によって自動ダイアルされるようにし、
前記プロセッサ手段は、前記自動ダイアル機能のために使用される未使用の記憶位置をオペレータが選択したことに応答して、電話番号を記録するための電話番号入力手順を付勢し、
前記入力手順は、前記第１のファンクションキーが押されることによって開始される格納手順と同様の格納手順を使用する
ことを特徴とする請求項２０に記載のファクシミリ装置。
【００８８】
［実施態様２３］前記プロセッサ手段は、前記英数字キーボードを介して前記オペレータが入力した電話番号に応答して、当該オペレータ入力電話番号を格納すべきかどうかをオペレータに質問するメッセージを前記ディスプレイパネル上に表示し、更に、オペレータの肯定応答に応答して、前記自動ダイアルファンクションキーによる後のアクセスのために前記オペレータ入力電話番号を格納する
ことを特徴とする請求項２０に記載のファクシミリ装置。
【００８９】
［実施態様２４］操作パネルと英数字キーボードとディスプレイパネルと複数のファンクションキーとを含み、前記ファンクションキーの各々は、それが押された時に、前記ファンクションキーに関連付けられた予め定められた入力作業を達成する手順経路を開始させるファクシミリ装置であって、オペレータが前記予め定められた入力作業の少なくとも幾つかを行うことができるようにする複数の手順経路を含むファクシミリ装置における英数字の入力のための以下の(a)及び(b)を有する方法：
(a) 第１のファンクションキーをオペレータが押すことに応答して、前記予め定められた入力作業を行うために、予め定められたシーケンスで前記キーボード上の少なくとも１つの追加のキーをオペレータが押すことを必要とする手順経路を呼び出すステップ；
(b) 前記操作パネル上の別のキーシーケンスをオペレータが押すことに応答して、前記第１のファンクションキーに関して示された予め定められた入力作業と同じ予め定められた入力作業を行うステップであって、前記予め定められた入力機能を行うために前記操作パネル上のキーをオペレータが押した場合にオペレータが選択することが予測されるキーシーケンスに基づいて、前記別のキーシーケンスが決められるステップ。
【００９０】
［実施態様２５］前記別のシーケンスのキーの１つのキーが前記操作パネル上のメニューキーであり、前記ステップ(b)が以下のステップ(b-1)及び(b-2)を含むことを特徴とする請求項２４に記載の方法：
(b-1) 前記メニューキーが押されることに応答して、前記ファクシミリ装置によって行われることができ、且つファンクションキーがそのために備えられた前記第１の作業を前記ディスプレイパネルに表示させるステップ；
(b-2) 別のキーが更に押されることに応答して、前記ディスプレイパネルから得られる前記第１の入力作業を選択できるようにするステップ。
【００９１】
［実施態様２６］前記操作パネルが、エンターキーと、スタートキーと、英字が割り当てられてはいないが前記プロセッサ手段によって各々Ｙｅｓ入力とＮｏ入力として識別される第１と第２の数字キーとを含み、以下のステップ(c)を含むことを特徴とする請求項２５に記載の方法：
(c) 前記メニューキーと前記別のキーとを押したことと、前記エンターキーまたは前記スタートキーまたは前記第１の数字キーを押したこととの結果としての前記ディスプレイパネル上の前記予め定められた入力作業の表示に応答して、表示されている予め定められた入力作業を達成するための手順を呼び出すステップ。
【００９２】
［実施態様２７］前記第１のファンクションキーが電話番号の格納を表し、前記メニューキーと前記別のキーとを押すことで、電話番号の格納ができるようにする機能の表示を付勢し、以下のステップ(d)及び(e)を有することを特徴とする請求項２６に記載の方法：
(d) 前記操作パネル上の第２のファンクションキーが押されることに応答して、自動ダイアル手順の操作を付勢し、またその後電話番号が格納されるべきかどうかを質問するメッセージを表示するステップ；
(e) オペレータの肯定入力に応答して、前記第１の予め定められたファンクションキーを押すことによって開始される電話番号格納手段と同様である電話番号格納手順を開始するステップ。
【００９３】
［実施態様２８］前記操作パネルが複数のワンタッチキーを含み、前記ワンタッチキーの各々は、それが押された時に予め割り当てられた電話番号が前記ファクシミリ装置によって自動的にダイアルされるように付勢し、
予め割り当てられた電話番号を持たないワンタッチキーが押されたことに応答して、前記第１のファンクションキーが押されたことによって開始される電話番号格納手順と概ね同様である電話番号格納手順をオペレータが開始できるようにするステップ
を含むことを特徴とする請求項２７に記載の方法。
【００９４】
［実施態様２９］前記操作パネルが自動ダイアルファンクションキーを含み、前記自動ダイアルファンクションキーは、それが押された時に予め割り当てられた電話番号が前記ファクシミリ装置によって自動ダイアルされるようにし、
前記自動ダイアル機能のために使用される未使用の記憶位置をオペレータが選択したことに応答して、電話番号を記録するための電話番号入力手順を付勢するステップ
を含み、
前記入力手順は、前記第１のファンクションキーが押されたことによって開始される格納手順と同様の格納手順を使用する
ことを特徴とする請求項２７に記載の方法。
【００９５】
［実施態様３０］前記英数字キーボードを介した前記オペレータ入力電話番号に応答して、オペレータ入力電話番号を格納すべきかどうかをオペレータに質問するメッセージを前記ディスプレイパネル上に表示するステップと、
オペレータの肯定応答に応答して、前記自動ダイアルキーによる後のアクセスのために前記オペレータ入力電話番号を格納するステップと、
を含むことを特徴とする請求項２７に記載の方法。
【００９６】
［実施態様３１］複数の電話番号にファクシミリメッセージを一斉送信するようにファクシミリ装置を操作するための方法であって、前記ファクシミリ装置が、英数字キーボードと、エンターキーと、スタートキーと、メニューキーと、複数のワンタッチダイアルキーとを含み、前記ワンタッチダイアルキーの各々は、それが押された時に以前に入力された電話番号が前記ディスプレイパネル上にダイアル呼出し可能な形で表示されるようにし、
(a) 前記英数字キーボードまたは前記ワンタッチキーを押して複数の電話番号を入力し、各々の電話番号が入力された後に前記エンターキーを押し、ファクシミリ装置によって一斉送信されるべき電話番号全てを入力し終わった後にスターとキーを付勢して一斉送信動作を開始させるステップと、
(b) 前記メニューキーを押すことにより、選択時に複数の電話番号を入力できるようにするルーチンを呼び出すメッセージが前記ディスプレイパネル上に表示されるようにし、前記ルーチンを選択し、連続的な電話番号入力の合間にエンターキーを押すことによって複数の電話番号を入力し、更に、前記スターとキーを押すことにより一斉送信動作を開始するステップと、
を含み、これにより、前記ステップ（ａ）と前記ステップ（ｂ）がどちらも、ファクシミリ一斉送信動作をオペレータが実行できるようにすることを特徴とする方法。
【図面の簡単な説明】
【００９７】
【図１】本発明を含むファクシミリ装置の高レベルブロック図。
【図２】本発明に従って構成されたオペレータパネルの平面図。
【図３ａ】英数字入力モード中のオペレータ／ファクシミリ装置インターフェース機能のフローチャート。
【図３ｂ】英数字入力モード中のオペレータ／ファクシミリ装置インターフェース機能のフローチャート。
【図４】電話番号の格納を行うための複数の手順経路を説明するフローチャート。
【図５】電話番号の格納を行うための複数の手順経路を説明するフローチャート。
【図６】自動ダイアル機能を果たすための２つの手順経路の高レベルフローチャート。
【図７】Ｕｎｄｏキーが押される時に生じる動作を示す高レベルフローチャート。
【図８】ヘルプメッセージ提供が表示される時の高レベルフローチャート。
【符号の説明】
【００９８】
５０：オペレータパネル
５２：キースイッチ行列
５４：液晶ディスプレイモジュール
５６：ワンタッチ自動ダイアルキー
５８：電話機型１２ボタンキーセット
６０：ストップキー
６２：Ｕｎｄｏキー
６４：エンターキー
６６：スタートキー
６８：自動ダイアルキー
７０：電話番号格納キー
７４：レポートキー
７６：メニューキー
【図１】
2004274780.tif 000003
【図２】
2004274780.tif 000004
【図３ａ】
2004274780.tif 000005
【図３ｂ】
2004274780.tif 000006
【図４】
2004274780.tif 000007
【図５】
2004274780.tif 000008
【図６】
2004274780.tif 000009
【図７】
2004274780.tif 000010
【図８】
2004274780.tif 000011